(57)【要約】【課題】スライドファスナーのエレメントの噛み合わせ部のどこにも配置することができ、ファスナーの開閉ないしは開度を検出することが可能な開閉検出装置を提供する。【解決手段】開閉検出装置１は、スライドファスナー５０を構成するエレメント５１３，５１４のうちの一部を構成する導電性エレメント５１３Ｃ，５１４Ｃと、導電性エレメント５１３Ｃ，５１４Ｃに接続された信号線２１，２２と、信号線２１，２２に設けられた導電検出素子２３と、からなる開閉検出部２を含み、スライドファスナー５０の開閉を電気的に検出する。開閉検出部２がスライドファスナー５０の複数箇所に配置されていてもよい。【選択図】図１
2017108790.tif 000002
【特許請求の範囲】
【請求項１】
スライドファスナーを構成するエレメントのうちの一部を構成する導電性エレメントと、
前記導電性エレメントに接続された信号線と、
前記信号線に設けられた導電検出素子と、
からなる開閉検出部を含み、
前記スライドファスナーの開閉を電気的に検出することを特徴とする、スライドファスナーの開閉検出装置。
【請求項２】
前記スライドファスナーは、
互いに噛合する前記エレメントが設けられた一のテープ部および他のテープ部からなるファスニング部と、
前記エレメントが並ぶ方向に沿ってスライドし、前記一のテープ部の前記エレメントと前記他のテープ部の前記エレメントとを噛合して前記ファスニング部を締結状態とし、あるいは噛合を解除して前記ファスニング部の締結を解くスライダー部と、
を備えることを特徴とする、請求項１に記載のスライドファスナーの開閉検出装置。
【請求項３】
前記開閉検出部は、隣り合う位置に配置された少なくとも２個の前記導電性エレメントを含む、請求項１または２に記載のスライドファスナーの開閉検出装置。
【請求項４】
前記開閉検出部が前記スライドファスナーの複数箇所に配置されていることを特徴とする、請求項２または３に記載のスライドファスナーの開閉検出装置。
【請求項５】
前記開閉検出部を構成する電源側信号線とGND側信号線のうち、前記電源側信号線は前記一のテープ部側に配置され、前記GND側信号線は前記他のテープ部に配置されている、請求項２から４のいずれか一項に記載のスライドファスナーの開閉検出装置。
【請求項６】
前記開閉検出部を構成する電源側信号線とGND側信号線は、前記他のテープ部側に配置されている、請求項２から４のいずれか一項に記載のスライドファスナーの開閉検出装置。
【請求項７】
前記開閉検出部が前記スライドファスナーの複数箇所に配置されており、一の開閉検出部における前記導電性エレメントと、他の開閉検出部における前記導電性エレメントとがリード線で接続されている、請求項６に記載のスライドファスナーの開閉検出装置。
【発明の詳細な説明】
【技術分野】
【０００１】
本発明は、スライドファスナー（滑り式留め具）の開閉検出装置に関する。
【背景技術】
【０００２】
従来、被着体の商品管理等を正確に行うことができるファスナー及び被着体として、導電性繊維材を有する織糸又は編糸として使ってファスナーテープを織成又は編成し、導電性繊維材を信号線またはアンテナ線としてファスナーテープ上に形成したものが提案されている（特許文献１参照）。
【先行技術文献】
【特許文献】
【０００３】
【特許文献１】特開２００９−８２７３０号公報
【発明の概要】
【発明が解決しようとする課題】
【０００４】
しかしながら、上述の技術は、スライドファスナーの左右の開き具（いわゆる蝶棒）を箱体に差し入れ嵌合させて通電するスイッチ構造にすぎない。つまり、この技術は、単に、いわゆるオープンタイプのファスナーにおける左右の蝶棒が嵌合しているか否かをファスナーの開度には関係なく検出するのみである。このため、スイッチ位置の自由度がない。また、クローズタイプのファスナーに適用できるものでもない。
【０００５】
本発明は、スライドファスナーのエレメントの噛み合わせ部のどこにも配置することができ、ファスナーの開閉ないしは開度を検出することが可能な開閉検出装置を提供することを目的とする。
【課題を解決するための手段】
【０００６】
かかる課題を解決するべく、本発明に係るスライドファスナーの開閉検出装置は、
スライドファスナーを構成するエレメントのうちの一部を構成する導電性エレメントと、
前記導電性エレメントに接続された信号線と、
前記信号線に設けられた導電検出素子と、
からなる開閉検出部を含み、
前記スライドファスナーの開閉を電気的に検出するというものである。
【０００７】
このスライドファスナーのうち、開閉検出部が配置された部分が閉められると、導電性エレメントが噛み合い、該導電性エレメントに接続された信号線に導電するので、導電したことにより、スライドファスナーの当該部分が閉まったことを電気的に検出することができる。
【０００８】
前記スライドファスナーは、
互いに噛合する前記エレメントが設けられた一のテープ部および他のテープ部からなるファスニング部と、
前記エレメントが並ぶ方向に沿ってスライドし、前記一のテープ部の前記エレメントと前記他のテープ部の前記エレメントとを噛合して前記ファスニング部を締結状態とし、あるいは噛合を解除して前記ファスニング部の締結を解くスライダー部と、を備えるものであってもよい。
【０００９】
また、前記開閉検出部は、隣り合う位置に配置された少なくとも２個の前記導電性エレメントを含むものであってもよい。
【００１０】
前記開閉検出部が前記スライドファスナーの複数箇所に配置されていてもよい。
【００１１】
前記開閉検出部を構成する電源側信号線とGND側信号線のうち、前記電源側信号線は前記一のテープ部側に配置され、前記GND側信号線は前記他のテープ部に配置されていてもよい。
【００１２】
また、前記開閉検出部を構成する電源側信号線とGND側信号線は、前記他のテープ部側に配置されていてもよい。
【００１３】
この場合、前記開閉検出部が前記スライドファスナーの複数箇所に配置されており、一の開閉検出部における前記導電性エレメントと、他の開閉検出部における前記導電性エレメントとがリード線で接続されていてもよい。
【発明の効果】
【００１４】
本発明によれば、スライドファスナーのエレメントの噛み合わせ部のどこにも配置することができ、ファスナーの開閉ないしは開度を検出することが可能である。
【図面の簡単な説明】
【００１５】
【図１】本発明に係るスライドファスナーの開閉検出装置の一実施形態を示す図である。
【図２】開閉検出部が配置された部分のエレメントが噛み合った状態のスライドファスナーを示す図である。
【図３】開閉検出装置の第２の実施形態を示す図であり、開閉検出部が３箇所に配置されたスライドファスナーが途中まで閉まった状態を表す。
【図４】開閉検出装置の第３の実施形態を示す図である。
【図５】図４に示すスライドファスナーにおいて、開閉検出部が配置された部分のエレメントが噛み合った状態を示す図である。
【図６】開閉検出装置の第４の実施形態を示す図である。
【図７】図６に示すスライドファスナーにおいて、開閉検出部が配置された部分のエレメントが噛み合った状態を示す図である。
【図８】開閉検出装置の第５の実施形態を示す図である。
【図９】図８に示すスライドファスナーにおいて、開閉検出部が配置された部分のエレメントが噛み合った状態を示す図である。
【図１０】開閉検出装置をバッグのスライドファスナーに適用した例を説明する図である。
【図１１】開閉検出装置をヒーター内臓のジャケットのスライドファスナーに適用した例を説明する図である。
【図１２】一般的な構造であるスライドファスナーの一部を示す斜視図である。
【発明を実施するための形態】
【００１６】
以下、図面を参照しつつ本発明に係るスライドファスナー５０の開閉検出装置１の好適な実施形態を詳細に説明する（図１等参照）。以下では、まず一般的な構造のスライドファスナー５０について簡単に説明し（図１２参照）、その後、開閉検出装置１の各形態を説明する。
【００１７】
＜スライドファスナー５０の一般的な構造＞
スライドファスナー５０は、ファスニング部５１とスライダー部５２とを含む（図１２参照）。スライドファスナー５０のファスニング部５１は、一のテープ部５１１および他のテープ部５１２からなる。一のテープ部５１１および他のテープ部５１２には、互いに噛合するエレメント（務歯）５１３，５１４と、蝶棒５１５，５１６（図１２では一のテープ部５１１の蝶棒５１５のみ図示）とを備えている（図１２参照）。
【００１８】
スライドファスナー５０のスライダー部５２は、エレメント５１３，５１４が並ぶ方向（スライド方向）に沿ってファスニング部５１上をスライドし、一のテープ部５１１のエレメント５１３と他のテープ部５１２のエレメント５１４とを噛合してファスニング部５１を締結状態とし、あるいは、噛合を解除してファスニング部５１の締結を解く。
【００１９】
＜第１の実施形態＞
本実施形態におけるスライドファスナー５０の開閉検出装置１は、開閉検出部２を含んでおり、スライドファスナー５０の開閉を電気的に検出する。開閉検出部２は、導電性エレメント５１３Ｃ，５１４Ｃ、電源側信号線２１、GND側信号線２２、導電検出素子２３を含む。
【００２０】
導電性エレメント５１３Ｃ，５１４Ｃは、スライドファスナー５０を構成するエレメント５１３，５１４のうちの一部を構成するもので、金属などの導電性材料からなり、スライドファスナー５０が閉じたときに互いに接触し合って電気的に接続される電極として機能する。これら導電性エレメント５１３Ｃ，５１４Ｃ以外のエレメント５１３，５１４は、絶縁材料や樹脂などの非導電性材料からなる（図１等参照）。
【００２１】
一のテープ部５１１に設けられる導電性エレメント５１３Ｃと、他のテープ部５１２に設けられる導電性エレメント５１４Ｃは、ファスニング部５１を締結状態としたとき、互いに噛み合って接触し合う位置に配置されている（図１、図２参照）。導電性エレメント５１３Ｃと導電性エレメント５１４Ｃは、噛み合って接触し合うことにより導電路を形成する。
【００２２】
なお、本実施形態における導電性エレメント５１３Ｃ，５１４Ｃはそれぞれ単一のエレメントからなるが（図１参照）、隣り合う位置に配置された少なくとも２個のエレメントを導電性エレメント５１３Ｃ，５１４Ｃとしてもよい（図２の想像線参照）。エレメント５１３とエレメント５１４を噛み合わせたとき、噛み合わせがずれたり、幾つかのエレメントの噛み合いが不十分であったりすることが生じ得るが、そうした場合でも、このように隣り合う複数のエレメントを導電性エレメント５１３Ｃ，５１４Ｃとしておけば、噛み合わせ不良の際にも導電しうる状態を確保しやすくなる。なお、これら複数の導電性エレメント５１３Ｃ，５１４Ｃには、電源側信号線（図中において記号VCCを併記している）２１またはGND側信号線２２の分岐線が接続される（図２参照）。
【００２３】
電源側信号線２１とGND側信号線２２は、導電検出回路を構成する信号線である。電源側信号線２１は一のテープ部５１１側に配置されて導電性エレメント５１３Ｃに接続され、GND側信号線２２は他のテープ部５１２側に配置されて導電性エレメント５１４Ｃに接続されている（図１、図２等参照）。ただし、接続先をこれと逆の構造とすることも可能である。
【００２４】
導電検出素子２３は、電源側信号線２１とGND側信号線２２とが導電性エレメント５１３Ｃ，５１４Ｃを介して電気的に接続されて導電（通電）されたことを検出する。図１ではこの導電検出素子２３が電源側信号線２１の途中に配置された例を示しているが、もちろん、GND側信号線２２の途中に配置されていても構わない。
【００２５】
以上のように構成された開閉検出装置１は、スライドファスナー５０のうち、導電性エレメント５１３Ｃ，５１４Ｃが配置された部分が閉められているかどうかを、導電検出素子２３の検出信号によって電気的に検出することができる。
【００２６】
＜第２の実施形態＞
スライドファスナー５０の開閉検出装置１において、開閉検出部２がスライドファスナー５０の複数箇所に配置されていてもよい。図３に示す本実施形態では、３つの開閉検出部２（２Ａ，２Ｂ，２Ｃ）が、エレメント５１３，５１４の並ぶ方向に沿ってそれぞれ異なる箇所に配置されている。例えば図３の状態だと、開閉検出部２Ａ，２Ｂでは導電している一方で、開閉検出部２Ｃでは導電していない。したがった、これら３つの開閉検出部２（２Ａ，２Ｂ，２Ｃ）の検出結果から、スライダー部５２は開閉検出部２Ｂと開閉検出部２Ｃの間に位置していることがわかる（図３参照）。
【００２７】
以上のように構成された開閉検出装置１によれば、スライドファスナー５０の開度（開き具合）ないしは閉じ量を検出することができる。
【００２８】
＜第３の実施形態＞
スライドファスナー５０の片方のテープ部にのみ電極を設けてもよい。図４、図５に示す実施形態では、電源側信号線２１とGND側信号線２２を他のテープ部５１２側に配置している。電源側信号線２１は、他のテープ部５１２側の導電性エレメント５１４Ｃに接続され、GND側信号線２２は、この導電性エレメント５１４Ｃと隣り合う別の導電性エレメント５１４Ｃ（あるいは、隣り合っていないが、スライドファスナー５０を閉じたときに電気的に接続される別の導電性エレメント５１４Ｃであってもよい）に接続されている。これら導電性エレメント５１４Ｃは、スライドファスナー５０を閉じたとき、一のテープ部５１１側の導電性エレメント５１３Ｃと噛み合って電気的に接続されて導通状態となる（図５参照）。
【００２９】
以上のように構成された開閉検出装置１は、スライドファスナー５０のうち、導電性エレメント５１３Ｃ，５１４Ｃが配置された部分が閉められているかどうかを、導電検出素子２３の検出信号によって電気的に検出することができる。しかも、電源側信号線２１とGND側信号線２２（およびこれらに接続される電極）をスライドファスナー５０の片方のテープ部にのみ設置していることから、例えばクリーニングの頻度が高い部材（一例として、自動車用シートの着せ替え可能なカバー）への信号線や電極の配置を避けるための構造として好適である。
【００３０】
＜第４の実施形態＞
第３の実施形態のごとく電源側信号線２１とGND側信号線２２を片方のテープ部（例えば他のテープ部５１２）側に配置する場合に、電源側信号線２１が接続される導電性エレメント５１４Ｃと、GND側信号線２２が接続される導電性エレメント５１４Ｃとを離して配置してもよい。図６、図７に示す実施形態では、これら導電性エレメント５１４Ｃを離して配置するとともに、電源側信号線２１が接続される導電性エレメント５１４Ｃと噛み合う導電性エレメント５１３Ｃと、GND側信号線２２が接続される導電性エレメント５１４Ｃと噛み合う導電性エレメント５１３Ｃとを、リード線３０で電気的に接続している。リード線３０は、一のテープ部５１１に、縫製され、編み込まれ、接着される等して固定されている（図６等参照）。
【００３１】
以上のように構成された開閉検出装置１は、離れて配置された導電性エレメント５１４Ｃ（５１３Ｃ）のいずれもが噛み合ったときに導電した状態となる（図７参照）。
【００３２】
＜第５の実施形態＞
第４の実施形態のごとき開閉検出装置１を、両開き型スライドファスナー（逆開ファスナー）５０に適用することができる（図８、図９参照）。この場合、開閉検出装置１は、離れて配置された導電性エレメント５１４Ｃ（５１３Ｃ）のいずれもが噛み合ったときに導電した状態となる（図９参照）。
【００３３】
＜第６の実施形態＞
これまで説明した開閉検出装置１を、スライドファスナー５０付きのバッグ７００に適用した例を図１０に示す。スライドファスナー５０が開けられた場合、開閉検出装置１の出力信号に基づき通信し、携帯電話（スマートフォンなど）８００にその旨を表示等して知らせる（図１０参照）。これにより、バッグ７００の所有者は、当該バッグ７００のスライドファスナー５０が開けられたことを知ることができる。
【００３４】
＜第７の実施形態＞
複数の開閉検出部２を含む開閉検出装置１を、ヒーター９０１を内蔵したジャケット９００のスライドファスナー５０に適用した例を図１１に示す。スライドファスナー５０の閉じ量が増えたことを開閉検出部２（２Ａ，２Ｂ，２Ｃ）で検出した場合は、着用者が寒いと感じているのでヒーター９０１の強度を上げ（弱→中→強）、逆に開度が増えたことを検出した場合は、着用者が暑いと感じているのでヒーター９０１の強度を下げる（強→中→弱）。これによれば、開閉検出装置１が検出したスライドファスナー５０の開度に応じてヒーターの強度を自動的に変化させる暖房システムを構築して温度を自動調節することができる。
【００３５】
ここまで説明した各実施形態に係る開閉検出装置１によれば、エレメント５１３，５１４の噛み合わせ部のどこにでも導電性エレメント５１３Ｃ，５１４Ｃからなる電極を配置して、スライドファスナー５０の開閉に応じて導電・非導電状態が切り替わるスイッチ構造（つまりは開閉検出部２）を設けることができる。
【００３６】
また、上述の開閉検出装置１によれば、スライドファスナー５０における任意の複数箇所に開閉検出部２を設けることができる。
【００３７】
さらに、上述の開閉検出装置１は、クローズタイプのファスナーに対しても適用可能な構造となっている。
【００３８】
なお、上述の実施形態は本発明の好適な実施の一例ではあるがこれに限定されるものではなく本発明の要旨を逸脱しない範囲において種々変形実施可能である。例えば、上述した実施形態では開閉検出装置１をバッグ７００やジャケット９００におけるスライドファスナー５０に適用した例を示したがこれらは好適例にすぎず、これら以外のあらゆるスライドファスナー５０において本発明が適用可能であることはいうまでもない。
【００３９】
また、上述したものと同様の構成の開閉検出装置１は、スライドファスナー以外の留め具、例えば複数の金属ボタン式の留め具などにおいて、ボタンを嵌めるとその部分が通電する構造として適用することが可能である。
【産業上の利用可能性】
【００４０】
本発明は、バッグ、衣類、シートなどにおける各種スライドファスナーに適用して好適である。
【符号の説明】
【００４１】
１…開閉検出装置
２…開閉検出部
２１…電源側信号線（信号線）
２２…GND側信号線（信号線）
２３…導電検出素子
３０…リード線
５０…スライドファスナー
５１…ファスニング部
５２…スライダー部
５１１…一のテープ部
５１２…他のテープ部
５１３，５１４…エレメント
５１３Ｃ，５１４Ｃ…導電性エレメント
【図１】
2017108790.tif 000003
【図２】
2017108790.tif 000004
【図３】
2017108790.tif 000005
【図４】
2017108790.tif 000006
【図５】
2017108790.tif 000007
【図６】
2017108790.tif 000008
【図７】
2017108790.tif 000009
【図８】
2017108790.tif 000010
【図９】
2017108790.tif 000011
【図１０】
2017108790.tif 000012
【図１１】
2017108790.tif 000013
【図１２】
2017108790.tif 000014